【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと
を備える方法。
【請求項２】
前記第１のＶＣＩは、半静的構成または制御チャネル内の情報フィールドに少なくとも部分的に基づいて識別される、請求項１に記載の方法。
【請求項３】
レート整合動作、多地点協調（ＣｏＭＰ）のためのクアジコロケーション動作、またはそれらの組み合わせに関するパラメータの前記セットを受信することをさらに備える、請求項１に記載の方法。
【請求項４】
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、請求項３に記載の方法。
【請求項５】
前記第１のＶＣＩ、パラメータの前記セット、前記少なくとも１つの第１の仮想セル、またはそれらの組み合わせに少なくとも部分的に基づいて、前記処理することのためのタイミングを決定することをさらに備える、請求項３に記載の方法。
【請求項６】
前記処理することは、干渉キャンセレーションまたは干渉抑制を備え、前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、請求項１に記載の方法。
【請求項７】
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、請求項１に記載の方法。
【請求項８】
前記第１のＶＣＩとは異なる第２のＶＣＩを識別することをさらに備え、ここにおいて、少なくとも１つの第２の仮想セルは、前記識別された第２のＶＣＩに少なくとも部分的に基づいて決定される、請求項１に記載の方法。
【請求項９】
前記少なくとも１つの第２の仮想セルは、前記第１のＶＣＩに関連付けられた前記少なくとも１つの第１の仮想セルとは異なり、差分は、少なくとも、仮想セルの数、前記少なくとも１つの第１の仮想セルに関連付けられた前記少なくとも１つのパラメータ、またはそれらの組み合わせを備える、請求項８に記載の方法。
【請求項１０】
前記第１のＶＣＩおよび前記第２のＶＣＩは、同じフレームにおいて識別される、請求項８に記載の方法。
【請求項１１】
前記第１のＶＣＩは、第１のサブフレームにおいて識別され、前記第２のＶＣＩは、前記第１のサブフレームとは異なる第２のサブフレームにおいて識別される、請求項８に記載の方法。
【請求項１２】
前記少なくとも１つのチャネルは、データチャネルまたは制御チャネルである、請求項１に記載の方法。
【請求項１３】
ワイヤレス通信の方法であって、
複数の干渉測定リソース（ＩＭＲ）間の観測された干渉における差分を決定することと、
前記決定された差分に少なくとも部分的に基づいてチャネル状態情報（ＣＳＩ）を報告することと
を備える方法。
【請求項１４】
ワイヤレス通信のための装置であって、
メモリと、
前記メモリに結合された少なくとも１つのプロセッサと、
を備え、
前記少なくとも１つのプロセッサは、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと
を行うように構成される、装置。
【請求項１５】
実行されたとき、少なくとも１つのコンピュータに、請求項１乃至１２のうちのいずれか一項に記載の方法を実行させるための実行可能な命令を備える、コンピュータプログラム。
【手続補正２】
【補正対象書類名】明細書
【補正対象項目名】００９５
【補正方法】変更
【補正の内容】
【００９５】
[00117]  本開示の以上の説明は、当業者が本開示を実施または使用することを可能にするために提供される。本開示に対する様々な修正は当業者には容易に明らかであり、本明細書で定義された包括的な原理は、本開示の精神または範囲から逸脱することなく、他の変形に適用されうる。ゆえに、本開示は、本明細書で説明された例および設計に制限されることが意図されず、本明細書に開示された原理および新規な特徴に合致する最も広い適用範囲が与えられるべきである。
以下に、本願の出願当初の特許請求の範囲に記載された発明を付記する。
［Ｃ１］
ワイヤレス通信の方法であって、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと
を備える方法。
［Ｃ２］
前記第１のＶＣＩは、半静的構成または制御チャネル内の情報フィールドに少なくとも部分的に基づいて識別される、Ｃ１に記載の方法。
［Ｃ３］
レート整合動作、多地点協調（ＣｏＭＰ）のためのクアジコロケーション動作、またはそれらの組み合わせに関するパラメータの前記セットを受信することをさらに備える、Ｃ１に記載の方法。
［Ｃ４］
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、Ｃ３に記載の方法。
［Ｃ５］
前記第１のＶＣＩ、パラメータの前記セット、前記少なくとも１つの第１の仮想セル、またはそれらの組み合わせに少なくとも部分的に基づいて、前記処理することのためのタイミングを決定することをさらに備える、Ｃ３に記載の方法。
［Ｃ６］
前記処理することは、干渉キャンセレーションまたは干渉抑制を備える、Ｃ１に記載の方法。
［Ｃ７］
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、Ｃ６に記載の方法。
［Ｃ８］
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、Ｃ１に記載の方法。
［Ｃ９］
前記第１のＶＣＩとは異なる第２のＶＣＩを識別することをさらに備え、ここにおいて、少なくとも１つの第２の仮想セルは、前記識別された第２のＶＣＩに少なくとも部分的に基づいて決定される、Ｃ１に記載の方法。
［Ｃ１０］
前記少なくとも１つの第２の仮想セルは、前記第１のＶＣＩに関連付けられた前記少なくとも１つの第１の仮想セルとは異なり、差分は、少なくとも、仮想セルの数、前記少なくとも１つの第１の仮想セルに関連付けられた前記少なくとも１つのパラメータ、またはそれらの組み合わせを備える、Ｃ９に記載の方法。
［Ｃ１１］
前記第１のＶＣＩおよび前記第２のＶＣＩは、同じフレームにおいて識別される、Ｃ９に記載の方法。
［Ｃ１２］
前記第１のＶＣＩは、第１のサブフレームにおいて識別され、前記第２のＶＣＩは、前記第１のサブフレームとは異なる第２のサブフレームにおいて識別される、Ｃ９に記載の方法。
［Ｃ１３］
前記少なくとも１つのチャネルは、データチャネルまたは制御チャネルである、Ｃ１に記載の方法。
［Ｃ１４］
ワイヤレス通信の方法であって、
複数の干渉測定リソース（ＩＭＲ）間の観測された干渉における差分を決定することと、
前記決定された差分に少なくとも部分的に基づいてチャネル状態情報（ＣＳＩ）を報告することと
を備える方法。
［Ｃ１５］
ワイヤレス通信のための装置であって、
メモリと、
前記メモリに結合された少なくとも１つのプロセッサと、
を備え、
前記少なくとも１つのプロセッサは、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと
を行うように構成される、装置。
［Ｃ１６］
前記第１のＶＣＩは、半静的構成または制御チャネル内の情報フィールドに少なくとも部分的に基づいて識別される、Ｃ１５に記載の装置。
［Ｃ１７］
前記少なくとも１つのプロセッサは、レート整合動作、多地点協調（ＣｏＭＰ）のためのクアジコロケーション動作、またはそれらの組み合わせに関するパラメータの前記セットを受信するようにさらに構成される、Ｃ１５に記載の装置。
［Ｃ１８］
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、Ｃ１７に記載の装置。
［Ｃ１９］
前記少なくとも１つのプロセッサは、前記第１のＶＣＩ、パラメータの前記セット、前記少なくとも１つの第１の仮想セル、またはそれらの組み合わせに少なくとも部分的に基づいて前記少なくとも１つのチャネルを処理するためのタイミングを決定するようにさらに構成される、Ｃ１７に記載の装置。
［Ｃ２０］
前記少なくとも１つのプロセッサは、干渉キャンセレーションまたは干渉抑制を行うことによって処理するようにさらに構成される、Ｃ１５に記載の装置。
［Ｃ２１］
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、Ｃ２０に記載の装置。
［Ｃ２２］
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、Ｃ１５に記載の装置。
［Ｃ２３］
前記少なくとも１つのプロセッサは、前記第１のＶＣＩとは異なる第２のＶＣＩを識別するようにさらに構成され、ここにおいて、少なくとも１つの第２の仮想セルは、前記識別された第２のＶＣＩに少なくとも部分的に基づいて決定される、Ｃ１５に記載の装置。
［Ｃ２４］
前記少なくとも１つの第２の仮想セルは、前記第１のＶＣＩに関連付けられた前記少なくとも１つの第１の仮想セルとは異なり、前記差分は、少なくとも、仮想セルの数、前記少なくとも１つの第１の仮想セルに関連付けられた前記少なくとも１つのパラメータ、またはそれらの組み合わせを備える、Ｃ２３に記載の装置。
［Ｃ２５］
前記第１のＶＣＩおよび前記第２のＶＣＩは、同じフレームにおいて識別される、Ｃ２３に記載の装置。
［Ｃ２６］
前記第１のＶＣＩは、第１のサブフレームにおいて識別され、前記第２のＶＣＩは、前記第１のサブフレームとは異なる第２のサブフレームにおいて識別される、Ｃ２３に記載の装置。
［Ｃ２７］
前記少なくとも１つのチャネルは、データチャネルまたは制御チャネルである、Ｃ１５に記載の装置。
［Ｃ２８］
ワイヤレス通信のための装置であって、
メモリと、
前記メモリに結合された少なくとも１つのプロセッサと、
を備え、
前記少なくとも１つのプロセッサは、
複数の干渉測定リソース（ＩＭＲ）間の観測された干渉における差分を決定することと、
前記決定された差分に少なくとも部分的に基づいてチャネル状態情報（ＣＳＩ）を報告することと
を行うように構成された、装置。